(57)【要約】【課題】コンパクトで容易に携行することができ、使用時には手袋の取り出し操作を行うと同時に手袋を展開状態にできて直ちに手袋を使用できる折り畳み手袋を提供する。【解決手段】折り畳み状態の手袋１０が、中間部に切取線３のある外袋２内に収納され、手袋１０の基端側における一方の端部に第１取手部３１が、他方の端部に第２取手部３２が設けられ、前記折り畳み状態は、長さ方向に沿って延びる偶数個の折目に沿って奇数折りされた第１折り畳み状態と、幅方向に沿って延びる１ないし複数個の折目に沿って複数折りされた第２折り畳み状態とを含み、前記折り畳み状態の手袋は、一方の端縁９ｂから第１取手部３１が突出し、他方の端縁９ａから第２取手部３２が突出し、取手部３１は、手袋の折り重ね方向の最外側に位置し、該折り畳み手袋が外袋内に配置され、取手部３１が外袋２の一端部と接合され、取手部３２が外袋２の他端部と接合されている。【選択図】図８
2011074501.tif 000002
【特許請求の範囲】
【請求項１】
手袋が折り畳み状態で平面視略矩形状の収納外袋内に収納されてなる折り畳み手袋であって、
前記手袋の開口部が設けられた基端側における幅方向の一方の端部に第１取手部が設けられると共に他方の端部に第２取手部が設けられ、
前記手袋の折り畳み状態は、幅方向に互いに離間して長さ方向に沿って延びる偶数個の折目に沿って奇数折りされた第１折り畳み状態と、長さ方向に互いに離間して幅方向に沿って延びる１ないし複数個の折目に沿って複数折りされた第２折り畳み状態とを含み、
前記第１折り畳み状態及び前記第２折り畳み状態となされた手袋は、その一方の端縁から前記第１取手部が外方に向けて突出し、他方の端縁から前記第２取手部が外方に向けて突出した状態にあり、かつ前記第１取手部及び前記第２取手部のうちの少なくとも一方の取手部は、手袋の折り畳みの重ね方向の最外側に位置した状態にあり、このような折り畳み状態の手袋が前記収納外袋内に配置され、前記第１取手部が前記収納外袋の一端部と接合されて第１接合部が形成されると共に、前記第２取手部が前記収納外袋の他端部と接合されて第２接合部が形成され、前記収納外袋における第１接合部と第２接合部の間に切り取り線が形成されていることを特徴とする折り畳み手袋。
【請求項２】
前記収納外袋の第１接合部及び第２接合部は、いずれもヒートシールにより接合されて略閉塞され、前記収納外袋の第１接合部は、前記第１取手部を挟み込んでヒートシールにより接合され、前記収納外袋の第２接合部は、前記第２取手部を挟み込んでヒートシールにより接合されている請求項１に記載の折り畳み手袋。
【請求項３】
前記袋体の折り畳み状態は、前記袋体の展開状態から前記第１折り畳み状態を経て前記第２折り畳み状態となされたものである請求項１または２に記載の折り畳み手袋。
【請求項４】
前記第１折り畳み状態は、２個の折目に沿って３つ折りされた状態又は４個の折目に沿って５つ折りされた状態である請求項１〜３のいずれか１項に記載の折り畳み手袋。
【請求項５】
前記第１折り畳み状態は、幅方向に隣り合う折目のうちの一方が谷折りされ、他方が山折りされて形成された折り畳み状態である請求項１〜４のいずれか１項に記載の折り畳み手袋。
【請求項６】
前記第２折り畳み状態は、長さ方向に隣り合う折目のうちの一方が谷折りされ、他方が山折りされて形成された折り畳み状態である請求項１〜５のいずれか１項に記載の折り畳み手袋。
【請求項７】
前記収納外袋の切り取り線の両端のうち少なくともいずれか一方は切り込み目になっている請求項１〜６のいずれか１項に記載の折り畳み手袋。
【請求項８】
前記手袋の開口部が設けられた基端側を閉塞可能な閉塞手段が設けられている請求項１〜７のいずれか１項に記載の折り畳み手袋。
【請求項９】
前記閉塞手段は、前記手袋の開口部が設けられた基端側の外面の少なくとも一部に形成された粘着剤層である請求項８に記載の折り畳み手袋。
【請求項１０】
前記粘着剤層の外面に離型シートが積層されている請求項９に記載の折り畳み手袋。
【請求項１１】
前記手袋及び前記収納外袋は、生分解性樹脂で構成されている請求項１〜１０のいずれか１項に記載の折り畳み手袋。
【発明の詳細な説明】
【技術分野】
【０００１】
この発明は、例えば使い捨て携帯手袋等として用いられる折り畳み手袋に関する。
【０００２】
なお、この明細書及び特許請求の範囲において、手袋（１０）に関する「長さ方向」の語は、展開状態の手袋（１０）の開口部のある基端縁の中心（Ｇ）と第３指部（中指部）（１３ｃ）の先端を結ぶ方向（Ｎ）を意味し、手袋（１０）に関する「幅方向」の語は、展開状態の手袋（１０）の平面内における前記長さ方向と直交する方向（Ｍ）を意味する（図２、３参照）。
【背景技術】
【０００３】
使い捨て手袋は、例えば、散歩中の犬がした糞を採取して回収する時、病院や医療施設等で菌、ウイルス等の手への付着を防止しつつ作業を行う時、研究所等で実験や研究の作業を行う時などに用いられている。このような使い捨て手袋としては、手に装着した手袋の指部が手の指の前方方向に向かってずれ動かないように、手袋の指部の付け根まわりを絞った構成のプラスチックフィルム製使い捨て手袋が公知である（特許文献１参照）。また、使い捨て手袋の指全体に対するフィット性を高めて使用性を向上させたものとして、手袋の指挿入部の指根部から指先部にかけての複数箇所に内径を絞る絞り部を設けた構成のプラスチックフィルム製使い捨て手袋も知られている（特許文献２参照）。
【先行技術文献】
【特許文献】
【０００４】
【特許文献１】特開２００２−３１７３２０号公報
【特許文献２】特開２００７−１６９８２２号公報
【発明の概要】
【発明が解決しようとする課題】
【０００５】
しかしながら、このような手袋は、ある程度のサイズを有しているので、これをそのまま外出時に携行するのは不便を強いられることが多い。また、手袋を折り畳んで携行するとしてもきれいに折り畳むことは困難であるので、ある程度嵩張ってしまうし、使用時に展開するのに手間取ることも多かった。また、手袋を携行する際にそのままバッグに入れた場合にはバッグ内の塵、ほこり、ゴミ等が付着するという汚染化の問題もあった。また、使い捨て手袋は、通常、数十枚程度重ねた状態で収納箱の中に収納されており、使用時には該収納箱の上面の取り出し口から使い捨て手袋の一部を掴んで取り出して、この手袋を手に装着しているが、手袋を取り出す際に手袋の一部に手が接触するので、手袋に手の汚れ、指紋、菌、ウイルス等が付着するという問題もあった。例えば、警察の鑑識が事件現場等で証拠品等の物品を採取するのに手袋を使用する場合において該手袋に鑑識官の指紋等が付着することは回避しなければならない。
【０００６】
この発明は、かかる技術的背景に鑑みてなされたものであって、手袋が折り畳まれた状態のコンパクトな態様で収納外袋内に収納されていて容易に携行等することができると共に、使用時まで手袋を清浄な状態に維持することができ、使用時には収納外袋内からの手袋の取り出し操作を行うと同時に手袋を展開状態にすることができて直ちに手袋を使用することができ、かつ手袋を手に装着する際に手袋本体に手が接触することを防止できる折り畳み手袋を提供することを目的とする。
【課題を解決するための手段】
【０００７】
前記目的を達成するために、本発明は以下の手段を提供する。
【０００８】
［１］手袋が折り畳み状態で平面視略矩形状の収納外袋内に収納されてなる折り畳み手袋であって、
前記手袋の開口部が設けられた基端側における幅方向の一方の端部に第１取手部が設けられると共に他方の端部に第２取手部が設けられ、
前記手袋の折り畳み状態は、幅方向に互いに離間して長さ方向に沿って延びる偶数個の折目に沿って奇数折りされた第１折り畳み状態と、長さ方向に互いに離間して幅方向に沿って延びる１ないし複数個の折目に沿って複数折りされた第２折り畳み状態とを含み、
前記第１折り畳み状態及び前記第２折り畳み状態となされた手袋は、その一方の端縁から前記第１取手部が外方に向けて突出し、他方の端縁から前記第２取手部が外方に向けて突出した状態にあり、かつ前記第１取手部及び前記第２取手部のうちの少なくとも一方の取手部は、手袋の折り畳みの重ね方向の最外側に位置した状態にあり、このような折り畳み状態の手袋が前記収納外袋内に配置され、前記第１取手部が前記収納外袋の一端部と接合されて第１接合部が形成されると共に、前記第２取手部が前記収納外袋の他端部と接合されて第２接合部が形成され、前記収納外袋における第１接合部と第２接合部の間に切り取り線が形成されていることを特徴とする折り畳み手袋。
【０００９】
［２］前記収納外袋の第１接合部及び第２接合部は、いずれもヒートシールにより接合されて略閉塞され、前記収納外袋の第１接合部は、前記第１取手部を挟み込んでヒートシールにより接合され、前記収納外袋の第２接合部は、前記第２取手部を挟み込んでヒートシールにより接合されている前項１に記載の折り畳み手袋。
【００１０】
［３］前記袋体の折り畳み状態は、前記袋体の展開状態から前記第１折り畳み状態を経て前記第２折り畳み状態となされたものである前項１または２に記載の折り畳み手袋。
【００１１】
［４］前記第１折り畳み状態は、２個の折目に沿って３つ折りされた状態又は４個の折目に沿って５つ折りされた状態である前項１〜３のいずれか１項に記載の折り畳み手袋。
【００１２】
［５］前記第１折り畳み状態は、幅方向に隣り合う折目のうちの一方が谷折りされ、他方が山折りされて形成された折り畳み状態である前項１〜４のいずれか１項に記載の折り畳み手袋。
【００１３】
［６］前記第２折り畳み状態は、長さ方向に隣り合う折目のうちの一方が谷折りされ、他方が山折りされて形成された折り畳み状態である前項１〜５のいずれか１項に記載の折り畳み手袋。
【００１４】
［７］前記収納外袋の切り取り線の両端のうち少なくともいずれか一方は切り込み目になっている前項１〜６のいずれか１項に記載の折り畳み手袋。
【００１５】
［８］前記手袋の開口部が設けられた基端側を閉塞可能な閉塞手段が設けられている前項１〜７のいずれか１項に記載の折り畳み手袋。
【００１６】
［９］前記閉塞手段は、前記手袋の開口部が設けられた基端側の外面の少なくとも一部に形成された粘着剤層である前項８に記載の折り畳み手袋。
【００１７】
［１０］前記粘着剤層の外面に離型シートが積層されている前項９に記載の折り畳み手袋。
【００１８】
［１１］前記手袋及び前記収納外袋は、生分解性樹脂で構成されている前項１〜１０のいずれか１項に記載の折り畳み手袋。
【発明の効果】
【００１９】
［１］の発明では、手袋が折り畳まれた状態のコンパクトな態様で収納外袋内に収納されているから、嵩張らずに容易に携行等することができると共に、使用時まで手袋を清浄な状態に維持することができる。また、収納外袋における第１接合部と第２接合部の間に切り取り線が形成されているから、収納外袋の両端部を指でそれぞれ挟んで引っ張ると、収納外袋を切り取り線で容易に破断させることができる。
【００２０】
また、手袋の開口部が設けられた基端側における幅方向の一方の端部に第１取手部が設けられると共に他方の端部に第２取手部が設けられ、前記手袋の折り畳み状態は、幅方向に互いに離間して長さ方向に沿って延びる偶数個の折目に沿って奇数折りされた第１折り畳み状態と、長さ方向に互いに離間して幅方向に沿って延びる１ないし複数個の折目に沿って複数折りされた第２折り畳み状態とを含み、前記第１折り畳み状態及び前記第２折り畳み状態となされた手袋は、その一方の端縁から前記第１取手部が外方に向けて突出し、他方の端縁から前記第２取手部が外方に向けて突出した状態にあり、このような折り畳み状態の手袋が前記収納外袋内に配置され、前記第１取手部が前記収納外袋の一端部と接合されて第１接合部が形成されると共に、前記第２取手部が前記収納外袋の他端部と接合されて第２接合部が形成され、前記収納外袋における第１接合部と第２接合部の間に切り取り線が形成されているから、収納外袋の長さ方向の両端部を指でそれぞれ挟んで引っ張るだけで、収納外袋を切り取り線で容易に破断させることができる（即ち収納外袋内からの手袋の取り出し操作を行うことができる）と同時に手袋を展開状態にすることができ、手袋を直ちに使用することができる。
【００２１】
また、手袋の折り畳み状態において、第１取手部及び第２取手部のうちの少なくとも一方の取手部は、手袋の折り畳みの重ね方向の最外側に位置した状態にあるから、即ち少なくとも一方の取手部の外方側の面は収納外袋と接触する状態にある（即ち取手部の両面が折り畳み手袋に挟まれた状態ではない）から、収納外袋の長さ方向の両端部を指で挟んで引っ張って収納外袋を相互離間方向に向けて移動させる（破断させる）操作をスムーズに行うことができる。
【００２２】
更に、手袋の開口部が設けられた基端側における幅方向の一方の端部に第１取手部が設けられると共に他方の端部に第２取手部が設けられ、第１取手部が収納外袋の一端部と接合され、第２取手部が収納外袋の他端部と接合されているから、収納外袋の両端部を指で引っ張って収納外袋を破断させて中の折り畳み状態の手袋を展開させると、両手の間の位置に手袋の開口部が開口した状態になり、手袋を手に装着するのが非常に容易であると共に、収納外袋の開封作業から手袋を手に装着するまでの間、手が触れる箇所は収納外袋だけで済むから、手袋の外面に手が触れることを回避できる。従って、例えば、警察の鑑識が事件現場等で証拠品等の物品を採取するのにこの折り畳み手袋を使用する場合において装着した手袋の外面に鑑識官の指紋等が付着することを回避できる。また、病院や医療施設等においてこの折り畳み手袋を使用する場合において装着した手袋の外面に装着者の手の汚れ（菌、ウイルス等を含む）が付着することを回避できる。
【００２３】
［２］の発明では、収納外袋の第１接合部は第１取手部を挟み込んでヒートシールにより接合され、収納外袋の第２接合部は第２取手部を挟み込んでヒートシールにより接合されているから、これら取手部を挟み込んでヒートシール接合された箇所は厚さが大きいものとなっており、これら挟み込み接合箇所を指でそれぞれ挟んで引っ張ると、滑りを生じ難いので、収納外袋を切り取り線で容易に破断させることができる。
【００２４】
［３］の発明では、袋体の折り畳み状態は、袋体の展開状態から第１折り畳み状態とした後該第１折り畳み状態から第２折り畳み状態としたものであるから、収納外袋を切り取り線で破断させた際における手袋の折り畳み状態から展開状態への移行を速やかに行わしめることができる。
【００２５】
［４］の発明では、第１折り畳み状態は、２個の折目に沿って３つ折りされた状態または４個の折目に沿って５つ折りされた状態であるから、収納外袋を切り取り線で破断させた際における手袋の折り畳み状態から展開状態への移行を速やかに行わしめることができる。
【００２６】
［５］の発明では、第１折り畳み状態は、幅方向に隣り合う折目のうちの一方が谷折りされ、他方が山折りされて形成された折り畳み状態であるから、収納外袋の長さ方向の両端部を指で挟んで引っ張ると、手袋に対しねじれる力が作用し、これにより収納外袋を切り取り線で破断させた際における手袋の折り畳み状態から展開状態への移行をより速やかに行わしめることができる。
【００２７】
［６］の発明では、第２折り畳み状態は、幅方向に隣り合う折目のうちの一方が谷折りされ、他方が山折りされて形成された折り畳み状態であるから、収納外袋を切り取り線で破断させた際に、第２折り畳み状態から一気に展開状態まで移行するものとなり、このように収納外袋を切り取り線で破断させた際における手袋の折り畳み状態から展開状態への移行をより一層速やかに行わしめることができる。
【００２８】
［７］の発明では、収納外袋の切り取り線の両端のうち少なくともいずれか一方は切り込み目になっており、該切り込み目が破断の起点になり易いから、収納外袋を切り取り線で破断させる操作がより容易なものとなる。
【００２９】
［８］の発明では、手袋の開口部が設けられた基端側を閉塞可能な閉塞手段が設けられているから、例えば、警察の鑑識が事件現場等で証拠品等の物品を採取するのにこの折り畳み手袋を用いる場合に、証拠品等の物品を、手に装着した手袋で掴んだ状態で該手袋の基端をもう一方の手で掴んで指先側に向けて裏返していくと、裏返し状態の手袋の中に証拠品等の物品が包み込まれた状態になるが、この裏返し状態で閉塞手段により手袋の基端側を閉塞すれば、証拠品等の物品をそのまま持ち帰ることが可能であるし、閉塞されているのでそのまま保管することもできて、非常に便利である。
【００３０】
［９］の発明では、閉塞手段は、手袋の開口部が設けられた基端側の外面の少なくとも一部に形成された粘着剤層であるから、前記手袋の裏返し状態での閉塞の操作が容易化されると共に、閉塞解除の操作も容易化される。
【００３１】
［１０］の発明では、粘着剤層の外面に離型シートが積層されているから、前記閉塞操作を行う直前まで離型シートを剥がさずに残しておけば、収納外袋の開封操作及び手袋の折り畳み状態から展開状態への移行をスムーズに行うことができる。
【００３２】
［１１］の発明では、手袋と収納外袋の両方が生分解性樹脂で構成されており、使用後に例えば川辺や海辺等の自然環境に廃棄されたとしても時間の経過と共に手袋と収納外袋が徐々に分解していくので、地球環境保全に貢献できる。
【図面の簡単な説明】
【００３３】
【図１】この発明に係る折り畳み手袋の一実施形態を示す平面図である。
【図２】図１の折り畳み手袋を構成する手袋の展開状態を離型シートを分離した状態で示す斜視図である。
【図３】図１の折り畳み手袋を構成する手袋を展開状態で示す平面図である。
【図４】手袋を図３の展開状態から幅方向に折り畳んだ第１折り畳み状態を示す平面図である。
【図５】第１折り畳み状態から第２折り畳み状態への移行途中を示す斜視図である。
【図６】手袋の第２折り畳み状態を示す平面図である。
【図７】第２折り畳み状態の手袋を収納外袋内に収納する直前状態を示す斜視図である。
【図８】（イ）は第２折り畳み状態の手袋を収納外袋内に収納した状態を示す平面図、（ロ）は収納外袋の長さ方向の両端部をヒートシール接合して折り畳み手袋を得た状態を示す平面図である。
【図９】折り畳み手袋の収納外袋を長さ方向の両側に引っ張って切り取り線で破断して中に収納されている手袋を拡げた展開状態を示す斜視図である。
【図１０】第１折り畳み状態から第２折り畳み状態にするための折目の他の例を示すための手袋の第１折り畳み状態の平面図である。
【図１１】手袋の他の例を離型シートを分離した状態で示す斜視図である。
【発明を実施するための形態】
【００３４】
この発明に係る折り畳み手袋の一実施形態を図１に示す。この折り畳み手袋（１）は、展開状態において平面視手袋形状（図３参照）の手袋（１０）が折り畳み状態で平面視矩形状の収納外袋（２）内に収納されてなる（図８（ｂ）参照）。前記折り畳み状態の手袋（１０）は、収納外袋（２）内での収納状態が解除されると、即ち収納外袋（２）が後述する切り取り線（３）で破断して開放されると、図９の展開状態にすることが可能なものである。
【００３５】
前記収納外袋（２）は、図７に示すように、その長さ方向の両端が開口された合成樹脂製の筒状体からなる。前記収納外袋（２）の長さ方向の中間部に幅方向に沿って切り取り線（３）が形成されている。前記切り取り線（３）はミシン目状の切り取り線である。即ち、前記切り取り線（３）は、図１に示すように、長さ方向の一端側（左側）の外袋と長さ方向の他端側（右側）の外袋とを連結する連結部（３ａ）と、長さ方向の一端側（左側）の外袋と長さ方向の他端側（右側）の外袋とを分断する切り目（３ｂ）とが外袋（２）の幅方向に交互に配置されたものからなり、本実施形態では、前記切り取り線（３）の両端は、いずれも一端（外方側の一端）が外部と連通する切り目である切り込み目（３ｃ）になっている。前記収納外袋（２）の大きさとしては、特に限定されるものではないが、例えば長さ９３ｍｍ×幅５６ｍｍなどを例示できる。
【００３６】
前記手袋（１０）は、樹脂フィルムからなる手袋であり、図２に示すように、２枚の樹脂フィルム（１４）（１５）が重ね合わされて略手袋形状（一対の取手部を含む）に裁断されたものが基端の開口部（１１）を除いて外周縁部が熱溶着されたものからなる。即ち、前記手袋（１０）は、手の平部（１２）に、第１指部（親指部）（１３ａ）、第２指部（人指し指部）（１３ｂ）、第３指部（中指部）（１３ｃ）、第４指部（薬指部）（１３ｄ）および第５指部（小指部）（１３ｅ）が連接されてなり、基端に開口部（１１）が設けられている。
【００３７】
前記手袋（１０）の前記開口部（１１）が設けられた基端縁部における手袋幅方向（Ｍ）の一方の端部に第１取手部（３１）が設けられ、他方の端部に第２取手部（３２）が設けられている（図２、３参照）。前記第１取手部（３１）の先端部は、前記展開状態の手袋（１０）の幅方向（Ｍ）の一方の左側最突出縁（１０ａ）よりも外方に向けて突出している。また、前記第２取手部（３２）の先端部は、前記展開状態の手袋（１０）の幅方向（Ｍ）の他方の右側最突出縁（１０ｂ）よりも外方に向けて突出している（図３参照）。
【００３８】
前記手袋（１０）の開口部（１１）が設けられた基端側に該基端側を閉塞できる閉塞手段（１６）が設けられている。即ち、前記手袋（１０）の開口部（１１）が設けられた基端側の外面に全周にわたって粘着剤層（１６）が設けられている（図２参照）。更に、前記粘着剤層（１６）の外面に離型シート（１７）（１８）が積層されている（図２参照）。即ち、前記手袋（１０）を構成する前面側の樹脂フィルム（１４）の外面に粘着剤層（１６）が設けられ、該粘着剤層（１６）の外面に離型シート（１７）が積層されると共に、前記手袋（１０）を構成する背面側の樹脂フィルム（１５）の外面に粘着剤層（１６）が設けられ、該粘着剤層（１６）の外面に離型シート（１８）が積層されている（図２、３参照）。
【００３９】
本発明では、前記手袋（１０）の折り畳み状態は、幅方向（Ｍ）に互いに離間して長さ方向（Ｎ）に沿って延びる偶数個の折目に沿って奇数折りされた第１折り畳み状態と、長さ方向（Ｎ）に互いに離間して幅方向（Ｍ）に沿って延びる１ないし複数個の折目に沿って複数折りされた第２折り畳み状態とを含む。
【００４０】
本実施形態では、前記手袋（１０）の前記折り畳み状態としては次のような形態が採用されている。まず、図３に示す展開状態の平面視手袋形状の手袋（１０）を、幅方向（Ｍ）に互いに離間して長さ方向（Ｎ）に沿って延びる２個の折目（２０ａ）（２０ｂ）のうち、第１折目（２０ａ）で谷折りすると共に第２折目（２０ｂ）で山折りすることによって３つ折りされた第１折り畳み状態にする（図４参照）。
【００４１】
次に、前記第１折り畳み状態の手袋（１０）を、長さ方向（Ｎ）に互いに離間して幅方向（Ｍ）に沿って延びる４個の折目（２１ａ）（２１ｂ）（２１ｃ）（２１ｄ）のうち、図５に示すように、第１折目（２１ａ）で谷折りし、第２折目（２１ｂ）で山折りし、第３折目（２１ｃ）で谷折りし、第４折目（２１ｄ）で山折りする（蛇腹折りする）ことによって５つ折りされた第２折り畳み状態にする（図６参照）。
【００４２】
こうして前記第１折り畳み状態を経て前記第２折り畳み状態となされた手袋（１０）は、図６、７に示すように、幅方向の一方の端縁（左端縁）（９ａ）から第２取手部（３２）の先端部が外方に向けて突出した状態にあり、幅方向の他方の端縁（右端縁）（９ｂ）から第１取手部（３１）の先端部が外方に向けて突出した状態にある。また、前記第１取手部（３１）は、手袋（１０）の折り畳みの積み重ね方向の最外側（上面側）に露出した状態になっている（図６、７参照）。
【００４３】
しかして、前記第１折り畳み状態を経て前記第２折り畳み状態となされた手袋（１０）を、図７、８に示すように、前記収納外袋（２）内に挿通配置せしめ、前記第２取手部（３２）の先端部を収納外袋（２）の長さ方向の一端部（左端部）と接合して第２接合部（５）を形成する共に、前記第１取手部（３１）の先端部を収納外袋（２）の長さ方向の他端部（右端部）と接合して第１接合部（４）を形成することによって、本発明の折り畳み手袋（１）が得られる（図１、図８（ロ）参照）。なお、前記収納外袋（２）における第１接合部（４）と第２接合部（５）の間に切り取り線（３）が形成されている。
【００４４】
本実施形態では、前記収納外袋（２）の長さ方向の両端部は、いずれも開口を略閉塞するように幅方向の略全体にわたってヒートシール法により溶着接合されて接合部（４）（５）が形成されている。このように略閉塞状態であるから、収納外袋（２）内の空気が外部と僅かに連通された状態となっており、これにより例えば収納外袋（２）内の空気抜きを行う（空気による膨らみ状態を解除する）ことが可能である。また、図８（ロ）に示すように、収納外袋（２）の長さ方向の一端側（左端側）の第２接合部（５）において第２取手部（３２）の先端部を挟み込んで接合した箇所（５３）は該第２取手部（３２）を挟まずに接合した箇所（５４）よりも厚さが大きく、収納外袋（２）の長さ方向の他端側（右端側）の第１接合部（４）において第１取手部（３１）の先端部を挟み込んで接合した箇所（５１）は該第１取手部（３１）を挟まずに接合した箇所（５２）よりも厚さが大きいものとなっている。
【００４５】
なお、前記折り畳み手袋（１）の収納外袋（２）に開封方法等の説明文が印刷されているのが好ましい。また、前記収納外袋（２）及び／又は手袋（１０）に企業名、商品名等の宣伝広告などを印刷しても良い。
【００４６】
しかして、本発明の折り畳み手袋（１）を使用する際には、図１に示す折り畳み手袋（１）の両端の接合部（４）（５）を指で掴んで、好ましくは取手部（３１）（３２）を挟み込んで接合した箇所（５１）（５３）を指で掴んで、互いに離間する方向に引っ張ると、収納外袋（２）が切り取り線（３）で破断し、さらに離間する方向に引っ張ると、収納外袋（２）内から折り畳み状態の手袋（１０）が開放されて該開放と同時に手袋（１０）は一気に展開して図９に示すような展開状態になるので、手に手袋（１０）を直ちに装着することができる。
【００４７】
また、図９の展開状態から明らかなように、左右の両手の間の位置に手袋（１０）の開口部（１１）が上を向いて開口した状態になるので、手袋（１０）を手に装着する操作を極めてスムーズに行うことができる。
【００４８】
また、収納外袋（２）の開封作業から手袋（１０）を手に装着するまでの間、手が触れる箇所は収納外袋（２）だけで済むから、手袋（１０）の外面に手が触れることを回避できる。従って、例えば、警察の鑑識が事件現場等で証拠品等の物品を採取するのにこの折り畳み手袋（１）を使用する場合に、装着した手袋（１０）の外面に鑑識官の指紋等が付着することを回避できる。また、病院や医療施設等においてこの折り畳み手袋（１）を使用する場合に、装着した手袋（１０）の外面に装着者の手の汚れ（菌、ウイルス等を含む）が付着することを回避できる。
【００４９】
また、手袋（１０）の開口部（１１）が設けられた基端側の外面に粘着剤層（１６）が設けられているから、例えば、警察の鑑識が事件現場等で証拠品等の物品を採取するのにこの折り畳み手袋（１０）を用いる場合に、証拠品等の物品を、手に装着した手袋（１０）で掴んだ状態で該手袋（１０）の基端をもう一方の手で掴んで指先側に向けて裏返していくと、裏返し状態の手袋（１０）の中に証拠品等の物品が包み込まれた状態になるが、この裏返し状態で手袋（１０）の基端側を粘着剤層（１６）の粘着剤により貼合して閉塞することができるので、証拠品等の物品をそのまま持ち帰ることが可能であるし、閉塞されているのでそのまま保管することもできて、非常に便利である。また、粘着剤層（１６）により貼合閉塞されているので、手袋（１０）の閉塞状態の解除操作も容易である。
【００５０】
この発明において、前記手袋（１０）の素材としては、特に限定されるものではないが、例えば合成樹脂等が挙げられる。中でも、ポリ乳酸等の生分解性樹脂を用いるのが好ましい。また、前記手袋（１０）は樹脂フィルムからなるのが好ましい。
【００５１】
また、前記収納外袋（２）の素材としては、特に限定されるものではないが、例えば合成樹脂等が挙げられる。中でも、ポリ乳酸等の生分解性樹脂を用いるのが好ましい。また、前記収納外袋（２）は樹脂フィルムからなるのが好ましい。
【００５２】
また、前記離型シート（１７）（１８）としては、粘着剤層（１６）からの剥離が可能なものであれば特に限定されず、例えば離型樹脂フィルム、離型紙などが挙げられる。前記離型シート（１７）（１８）の離型面には、通常、シリコーン樹脂等の離型剤がコーティングされている。
【００５３】
上記実施形態では、第１折り畳み状態としては、２個の折目に沿って３つ折りされた状態が採用されていたが、特にこのような形態に限定されるものではなく、例えば４個の折目に沿って５つ折りされた状態を採用しても良く、幅方向（Ｍ）に互いに離間して長さ方向（Ｎ）に沿って延びる偶数個の折目に沿って奇数折りされた折り畳み状態であれば良い。このような構成の第１折り畳み状態を採用することで、図６に示す手袋（１０）の最終的な折り畳み状態において、収納外袋（２）の端部と接合される第２取手部（３２）の先端部が幅方向（Ｍ）の一方の端縁に位置するものとなると共に、同じく収納外袋（２）の端部と接合される第２取手部（３２）の先端部が幅方向（Ｍ）の他方の端縁に位置するものとなるから、即ち一方の取手部の先端部が左側、他方の取手部の先端部が右側に位置するものとなるから、収納外袋（２）の両端部を互いに離間する方向に引っ張って切り取り線（３）で破断させ、更に引っ張ると、第１取手部（３１）と第２取手部（３２）を互いに離間する方向に引っ張ることになり、これにより折り畳み状態の手袋（１０）の幅方向（Ｍ）への展開を行わせることができる。なお、折り畳み状態の手袋（１０）の長さ方向（Ｎ）への展開は、例えば自重によって行わせることができる。
【００５４】
また、上記実施形態では、第１折り畳み状態としては、隣り合う折目のうちの一方が谷折りされ、他方が山折りされて形成された折り畳み状態が採用されていたが、特にこのような形態に限定されるものではなく、例えば巻き折りがなされた（即ち全折目が谷折りされた又は全折目が山折りされた）折り畳み状態を採用しても良い。
【００５５】
また、上記実施形態では、第２折り畳み状態としては、隣り合う折目のうちの一方が谷折りされ、他方が山折りされて形成された折り畳み状態が採用されていたが、特にこのような形態に限定されるものではなく、例えば巻き折りがなされた（即ち全折目が谷折りされた又は全折目が山折りされた）折り畳み状態を採用しても良い。例えば図１０に示すように、前記第１折り畳み状態の手袋（１０）を長さ方向（Ｎ）に互いに離間して幅方向（Ｍ）に沿って延びる４個の折目（２１ａ）（２１ｂ）（２１ｃ）（２１ｄ）の全てで山折りする（巻き折りする）ことによって５つ折りされた第２折り畳み状態としても良い。
【００５６】
また、上記実施形態では、手袋（１０）は、５個の指部（１３ａ）（１３ｂ）（１３ｃ）（１３ｄ）（１３ｅ）を有するもの（図２、３参照）となされていたが、特にこのような構成に限定されるものではなく、例えば図１１に示すように、親指部（１３ａ）を除く４個の指部が１つに統合された形態のミトン型に構成されたものであっても良い。
【００５７】
また、上記実施形態では、手袋（１０）の基端側を閉塞する閉塞手段（１６）としては、手袋（１０）の基端側の外面に設けられた粘着剤層を採用していたが、特にこのような構成に限定されるものではなく、例えば、手袋（１０）の開口部（１１）を形成する基端縁に取り付けられたファスナーを採用しても良い。
【産業上の利用可能性】
【００５８】
この発明の折り畳み手袋は、例えば、携帯手袋として好適に用いられるが、特にこのような用途に限定されるものではない。
【符号の説明】
【００５９】
１…折り畳み手袋
２…収納外袋
３…切り取り線
３ｃ…切り込み目
４…第１接合部
５…第２接合部
９ａ…折り畳み状態の手袋の一方の端縁
９ｂ…折り畳み状態の手袋の他方の端縁
１０…手袋
１１…開口部
１４…樹脂フィルム
１５…樹脂フィルム
１６…粘着剤層
１７…離型シート
１８…離型シート
２０ａ…第１折目
２０ｂ…第２折目
２１ａ…第１折目
２１ｂ…第２折目
２１ｃ…第３折目
２１ｄ…第４折目
３１…第１取手部
３２…第２取手部
５１…第１取手部を挟み込んで接合した箇所
５３…第２取手部を挟み込んで接合した箇所
Ｍ…幅方向
Ｎ…長さ方向
【図１】
2011074501.tif 000003
【図２】
2011074501.tif 000004
【図３】
2011074501.tif 000005
【図４】
2011074501.tif 000006
【図５】
2011074501.tif 000007
【図６】
2011074501.tif 000008
【図７】
2011074501.tif 000009
【図８】
2011074501.tif 000010
【図９】
2011074501.tif 000011
【図１０】
2011074501.tif 000012
【図１１】
2011074501.tif 000013